(57)【要約】【課題】            開閉体の面を簡単に清掃することができる開閉装置用清掃装置及び該開閉装置用清掃装置を備えた開閉装置を提供する。【解決手段】        不動部位に支持された拭取部材を、スライドして開閉動作する開閉体１０の表部または裏部に摺接させて、該開閉体１０に付着している異物ｘを拭取るようにした開閉装置用清掃装置であって、前記拭取部材は、上記開閉体１０の開放方向側に配設され、前記開閉体１０に付着している異物を開閉体開閉方向の内の一方向へ通過させ、同異物の逆方向への通過を阻むように構成されている。【選択図】          図１
2008008031.tif 000002
【特許請求の範囲】
【請求項１】
不動部位に支持された拭取部材を、スライドして開閉動作する開閉体の表部または裏部に摺接させて、該開閉体に付着している異物を拭取るようにした開閉装置用清掃装置であって、
前記拭取部材は、上記開閉体の開放方向側に配設され、前記開閉体に付着している異物を開閉体開閉方向の内の一方向へ通過させ、同異物の逆方向への通過を阻むように構成されていることを特徴とする開閉装置用清掃装置。
【請求項２】
上記拭取部材は、上記開閉体の開閉方向に沿って一方向のみに回転するように設けられたローラであることを特徴とする請求項１記載の開閉装置用清掃装置。
【請求項３】
回転する上記ローラの外周面に摺接して、上記ローラに付着した異物を掻き取る掻取部材を設けたことを特徴とする請求項２記載の開閉装置用清掃装置。
【請求項４】
上記拭取部材は、上記開閉体の開閉方向へ並ぶ第一拭取部材と第二拭取部材とからなり、
第一拭取部材は、上記開閉体の表部または裏部の異物を開閉体開放方向へ通過させるとともに、同異物の開閉体閉鎖方向への通過を阻むように設けられ、
第二拭取り部は、上記開閉体の表部または裏部の異物を開閉体閉鎖方向へ通過させるとともに、同異物の開閉体開放方向への通過を阻むように設けられることを特徴とする請求項１乃至３何れか１項記載の開閉装置用清掃装置。
【請求項５】
上記拭取部材は、上記開閉体を、その表部側と裏部側から挟むようにして複数設けられていることを特徴とする請求項１乃至４何れか１項記載の開閉装置用清掃装置。
【請求項６】
上記拭取部材により拭取られて落下した異物を受けて集積する集積部材を備えたことを特徴とする請求項１乃至５何れか１項記載の開閉装置用清掃装置。
【発明の詳細な説明】
【技術分野】
【０００１】
本発明は、スライドして開閉動作する開閉体から汚れを除去する開閉装置用清掃装置、及び該開閉装置用清掃装置を備えた開閉装置に関するものである。
【背景技術】
【０００２】
従来、シャッター装置におけるシャッターカーテンの汚れは、雑巾やたわし、ブラシ、モップ等を用いた手作業により除去している場合が多く、その手作業を効率的に行えるようにするために、特許文献１に記載された発明が提案されている。
この特許文献１の発明によれば、開閉体（シャッターカーテン８）をガイドレール（４）から外し手前側へ引き出して掃除することが可能である。
【０００３】
また、他の従来技術としては、特許文献２に記載されたものがある。この従来技術によれば、手動で移動させる清掃部材（５）により、閉鎖状態の開閉体（シャッター２）を清掃することができる。
【０００４】
しかしながら、上記従来技術によれば、いずれの場合も手動で清掃しなければならず、その作業が面倒で時間がかかるものであった。
また、特許文献２では、作業性が多少改善されるものの、閉鎖状態の開閉体（シャッター２）に対し、清掃部材（５）やハンドル部材（４）等を装着するための作業が必要なため、その装着作業に時間がかかってしまう。
【特許文献１】特開平１１−１１７６４４号公報
【特許文献２】特開平９−６６０１２号公報
【発明の開示】
【発明が解決しようとする課題】
【０００５】
本発明は上記従来事情に鑑みてなされたものであり、その課題とする処は、開閉体を簡単に清掃することができる開閉装置用清掃装置及び該開閉装置用清掃装置を備えた開閉装置を提供することにある。
【課題を解決するための手段】
【０００６】
上記課題を解決するために第一の発明の開閉装置用清掃装置は、不動部位に支持された拭取部材を、スライドして開閉動作する開閉体の表部または裏部に摺接させて、該開閉体に付着している異物を拭取るようにした開閉装置用清掃装置であって、前記拭取部材は、上記開閉体の開放方向側に配設され、前記開閉体に付着している異物を開閉体開閉方向の内の一方向へ通過させ、同異物の逆方向への通過を阻むように構成されていることを特徴とする。
【０００７】
ここで、上記開閉装置用清掃装置の設置対象である開閉装置は、開閉体をスライドさせて開閉動作する装置であればよく、この開閉装置には、オーバーヘッドドアを含むシャッター装置、雨戸を含む引戸、窓、ロールスクリーン、ブラインド、オーニング装置、門扉、ゲート、スライディングウォール装置等を含む。
【０００８】
また、本発明の開閉装置用清掃装置は、予め上記開閉装置に設置されていてもよいし、上記開閉装置とは別体に設けられて、上記開閉装置に装着されるようにしてもよい。
また、この開閉装置用清掃装置は、上記開閉装置の開閉体に対し、その表部側または裏部側のみに設けられていてもよいし、表部側と裏部側とのそれぞれに設けられていてもよい。
【０００９】
また、上記開閉体の具体例としては、複数のスラットやパイプを開閉方向へ連設してなる態様や、パネルや、シート状物、ネット状物を開閉方向へ単数もしくは複数設けてなる態様、あるいはスラット、パネル、パイプ、シート状物、ネット状物等を適宜に組み合わせてなる態様等が挙げられる。
この開閉体は、スラットからなる態様のように凹凸があるものであってもよいが、例えば、シート材やパネル等、表面が略平坦状のものである場合には、当該開閉装置用清掃装置による清掃作用を、効果的に発揮することができる。
更に、この開閉体は、例えばシート材からなる態様のように表面に柔軟性を有する場合には、その柔軟な開閉体の表面と払拭部材との接触面積が比較的広くなるため、効果的な清掃作用を得ることができる。
【００１０】
また、上記不動部位とは、開閉動作する開閉体に相対して不動な部位であればよく、この不動部位には、例えば、開閉装置において開閉体をその開放方向側で収納する収納ケースや、開閉体を開閉方向へ案内するガイドレール、開閉体を繰り出したり引き込んだりするまぐさ部、開閉装置の設置対象である構造物等を含む。
【００１１】
また、「前記開閉体に付着している異物を開閉体開閉方向の内の一方向へ通過させ、同異物の逆方向への通過を阻む」という構成は、より具体的には、上記拭取部材における異物と接触する箇所を、一方向へ移動可能であって他方向へ移動不能な構造とすればよい。
この拭取部材の具体例としては、上記開閉体の表部または裏部に外周面を接触させて一方向へのみに回転するように構成されたローラや、上記開閉体の開閉方向に対し傾斜するように支持されるとともに弾性的に撓むように構成された部材等が挙げられる。
この拭取部材は、好ましくは上記開閉体をその開放方向側で収納する収納ケース内に配置されるが、他例としては、前記収納ケースの下側等であってもよい。
また、この拭取部材は、開閉体幅方向や開閉体開閉方向に複数配設されていてもよいし、単数であってもよい。
【００１２】
また、第二の発明の開閉装置用清掃装置では、上記拭取部材は、上記開閉体の開閉方向に沿って一方向のみに回転するように設けられたローラであることを特徴とする。
【００１３】
また、第三の発明の開閉装置用清掃装置では、回転する上記ローラの外周面に摺接して、上記ローラに付着した異物を掻き取る掻取部材を設けたことを特徴とする。
【００１４】
また、第四の発明の開閉装置用清掃装置では、上記拭取部材は、上記開閉体の開閉方向へ並ぶ第一拭取部材と第二拭取部材とからなり、第一拭取部材は、上記開閉体の表部または裏部の異物を開閉体開放方向へ通過させるとともに、同異物の開閉体閉鎖方向への通過を阻むように設けられ、第二拭取り部は、上記開閉体の表部または裏部の異物を開閉体閉鎖方向へ通過させるとともに、同異物の開閉体開放方向への通過を阻むように設けられていることを特徴とする。
【００１５】
また、第五の発明の開閉装置用清掃装置では、上記拭取部材は、上記開閉体を、その表部側と裏部側から挟むようにして複数設けられることを特徴とする。
【００１６】
また、第六の発明の開閉装置用清掃装置では、上記拭取部材により拭取られて落下した異物を受けて集積する集積部材を備えたことを特徴とする。
【００１７】
ここで、集積部材は、上記拭取部材側から落下した異物を受ける構成であればよく、例えば、上記拭取部材の下方側に設けられた板状の部材や、上記拭取部材における上記開閉体との接触箇所を除く部分を囲むようにして設けられた部材等とすることができる。
【００１８】
上記構成の開閉装置用清掃装置は、設置対象である開閉装置に対し、着脱不能に設けられていてもよいが、好ましくは着脱可能に具備される。
この好ましい態様の開閉装置によれば、開閉体を簡単に清掃することができる上、払拭部材が汚れた際には、開閉装置用清掃装置を交換することができる。
【００１９】
なお、本明細書中において「開閉体幅方向」とは、開閉体の開閉方向と略直交する方向であって、上記開閉体の厚さ方向ではない方向を意味する。
また、本明細書中において「開閉体開閉方向」とは、開閉体が空間を仕切ったり開放したりするためにスライドする方向を意味する。
また、本明細書中において「開閉体厚さ方向」とは、閉鎖状態の開閉体の厚さ方向を意味する。
【発明の効果】
【００２０】
本発明は、以上説明したように構成されているので、以下に記載されるような作用効果を奏する。
第一の発明によれば、開閉体の表部または裏部に付着した異物は、開閉体の開放方向側において、拭取部材に対し一方向へは通過するが、逆方向へは通過し難い。
そのため、開閉体を開放動作および閉鎖動作させれば、開閉体の表部または裏部に付着している異物を、拭取部材を境とした前記一方向側に溜めながら、開閉体の表部または裏部を拭取ることができる。
なお、仮に、拭取部材が、開閉体の表部または裏部に付着した異物を双方向へ通過させない構造であった場合には、開閉体を開放動作または閉鎖動作させた際に拭取部材に付着した異物が、同開閉体を逆動作させた際に、開閉体に再度付着してしまうおそれがある。
【００２１】
更に、第二の発明によれば、開閉体の表部または裏部に付着した異物を、開閉体開閉方向の内の一方向へのみ通過させる構成を、生産性の良好な具体的構造とすることができる。
【００２２】
更に、第三の発明によれば、ローラに付着した異物を、掻取部材により掻き取ることができ、ひいては、ローラによる清掃効率を向上することができる。
【００２３】
更に、第四の発明によれば、開閉体を開放動作および閉鎖動作させれば、開閉体の表部または裏部に付着した異物を、第一拭取部材と第二拭取部材との間に、蓄積することができる。
したがって、一度拭取った異物が再度開閉体に付着してしまうようなことを防いで、清掃効率を向上することができる。
【００２４】
更に、第五の発明によれば、開閉体を表部側と裏部側の双方から挟むようにして効率的に清掃することができる。
すなわち、仮に開閉体厚さ方向の一方側のみに拭取部材を備えた構成によれば、開閉体が拭取部材により他方向へ押圧されて若干移動してしまう場合があるため、開閉体と拭取部材との間の押圧力が低下して、清掃効率も低下してしまうおそれがあるが、本発明では、このような清掃効率の低下を防ぐことができる。
【００２５】
更に、第六の発明によれば、拭取部材に付着した異物は、落下すると、集積部材に受けられ集積される。したがって、拭取部材により拭取られた異物が周囲に飛散するようなことを防ぐことができる。
【発明を実施するための最良の形態】
【００２６】
以下、本発明の実施の形態を図面に基づいて説明する。
本実施の形態における開閉装置用清掃装置の一例は、住宅やビル、倉庫、工場、地下街、トンネル、車両の荷台等の躯体の開口部分や内部に配設され、前記開口部分を開閉したり、躯体内部の空間を仕切ったり開放したりするシャッター装置Ａに対し、着脱可能に具備されている。
【００２７】
シャッター装置Ａは、閉鎖方向端部をスライドさせて開閉動作する開閉体１０と、該開閉体１０をその幅方向の端部側で開閉方向へ案内するガイドレール２０と、該開閉体１０をその開放方向側で巻き取ったり繰出したりする巻取装置３０とを具備し、巻取装置３０内には、着脱可能に清掃装置４０を備えている。
【００２８】
開閉体１０は、横長略矩形状の金属板を曲げ加工してなる所謂スラットを、上下に隣接する該スラット間で回動するように複数連接することで、開閉体本体１１を構成するとともに、この開閉体本体１１の最下端部に、開閉体幅方向へわたる座板部材１２を接続してなる。
【００２９】
ガイドレール２０は、開閉体１０の幅方向の端部を囲むように形成された部材であり、開閉体１０によって着座される当接対象部位ｐ（例えば、床面や地面、枠部材等）と巻取装置３０との間にわたって配設されている。
【００３０】
巻取装置３０は、収納ケース３１内に、開閉体１０を巻き取ったり繰出したりする巻取体３２や、該巻取体をチェーン及びスプロケット等の動力伝達手段（図示せず）等を介して双方向へ回転する電動駆動源（図示せず）等を具備してなり、同収納ケース３１内の下部側において、まぐさ部３１ａよりも上側には、清掃装置４０を着脱可能に止着してある。
【００３１】
収納ケース３１は、巻取体３２および該巻取体３２周囲に巻かれた際の開閉体１０を、開閉体幅方向へわたって収納するように形成されたケースであり、その下部側には、開閉体１０を繰り出したり引き込んだりするための開口部を形成したまぐさ部３１ａを有する。
また、この収納ケース３１の正面部（図１における右側面）には、後述する清掃装置４０を着脱するための開口部３１ｂが形成され、この開口部３１ｂは、着脱可能な蓋部材３１ｃによって塞がれている。
【００３２】
巻取体３２は、その外周面に開閉体１０を巻回可能な略筒状に形成されている。
この巻取体３２は、その中心部の軸体３２ａと一体的に回転するように構成されていてもよいし、固定された軸体３２ａに対し回転するように支持されていてもよい。
この巻取体３２は、図１（ｂ）に示すように、巻き取った開閉体１０の外周面を、清掃装置４０側（図示における右方向側）へ膨らませるように配置してある。
この構成によれば、開閉体１０は、巻取体３２に巻き取られて巻き太りすることで、下方に垂れ下がった部分の表部を、清掃装置４０に押し付けることができる。
【００３３】
また、清掃装置４０は、開閉体１０の開閉方向へ所定間隔を置いて並ぶ第一拭取部材４１および第二拭取部材４２と、各第一拭取部材４１（又は４２）に付着した異物を掻き取る掻取部材４３，４３と、これら拭取部材４１，４２により拭き取られて落下した異物を集積する集積部材４４とを備えている。
【００３４】
第一拭取部材４１は、開閉体１０の表部に付着した異物ｘ（図２参照）を、開放方向へ通過させ、同異物ｘの逆方向への通過を阻むように、開閉体１０の開閉方向に沿って一方向のみに転動するローラであり、不動部位である集積部材４４の側面に支持されている。
【００３５】
より詳細に説明すれば、この第一拭取部材４１は、図３に示すように、開閉体１０に対し幅方向へわたって接触するように形成されたローラ本体４１ａと、該ローラ本体４１ａの外周面に巻かれたシート材４１ｂとを具備している。
前記シート材４１ｂは、紙や布等を主材料とするシート材であり、開閉体１０面の汚れを効果的に拭き取るように、適宜加工が施された清掃用のシート材とすることが好ましい。
【００３６】
そして、この第一拭取部材４１は、その軸心部の一端側が、集積部材４４と一体的な軸受け部材（図示せず）により回転自在に支持され、同軸心部の他端側が、一方向クラッチ（図示せず）により一方向へのみ回転可能となるように支持されている。
前記一方向クラッチ（ワンウェイクラッチとも呼称される）は、挿入された軸状部材を一方向へのみ回転可能となるようにした周知の機構であり、軸体３２ａを一方向へのみ回転可能にした機構であれば、例えば、つめ部とつめ車とからなる機構（所謂ラチェット機構）等、他の機構に置換することが可能である。
【００３７】
上記構成の第一拭取部材４１は、その外周面を開閉体１０の表部に接触させ、開閉体１０が開放動作している最中のみ、開閉体１０と接触した際の摩擦により、該開閉体１０の表部に沿って転動し、同開閉体１０が閉鎖動作している最中には回転しないように配設される。
【００３８】
また、第二拭取部材４２は、第一拭取部材４１と略同構成のローラであり、第一拭取部材４１とは逆方向へのみ回転するように構成されている。
すなわち、この第二拭取部材４２は、その外周面を開閉体１０の表部に接触させ、開閉体１０が閉鎖動作している最中のみ、開閉体１０と接触した際の摩擦により、該開閉体１０の表部に沿って転動し、同開閉体１０が開放動作している最中には回転しないように配設される。
【００３９】
また、掻取部材４３は、その先端側を第一拭取部材４１（又は第二拭取部材４２）の軸方向の略全長にわたって接触させるとともに、その基端側を後述する集積部材４４に止着した部材である。
この掻取部材４３は、第一拭取部材４１（又は第二拭取部材４２）外周面との摩擦抵抗が適宜になるように、弾性的に構成されていることが好ましく、例えば、ゴムヘラ状の部材や、ブラシ、モヘア等によって構成される。
【００４０】
また、集積部材４４は、上記第一拭取部材４１，第二拭取部材４２，掻取部材４３，４３を、開閉体１０の表部側から囲むようにして設けられた縦断面略コ字状であって、その両側部（換言すれば開閉体幅方向の両端部）が塞がれた部材である。
この集積部材４４は、開閉体１０の幅方向の略全長にわたるように設けられ、ブラケット等を介して収納ケース３１内の底部に着脱可能に止着されている。
この集積部材４４を着脱可能にする手段は、例えば、ねじ止めや、嵌合等とすればよい。
【００４１】
次に、上記構成の清掃装置４０について、その作用効果を説明する。
図２（ａ）に示すように、開閉体１０が開放動作すると、その開閉体１０の表部で転がるようにして、第一拭取部材４１が回転する。
したがって、第一拭取部材４１よりも下側において、開閉体１０の表部に付着されている異物ｘは、第一拭取部材４１によって殆ど拭き取られることなく、該第一拭取部材４１と開閉体１０表部との間を通過する。
なお、異物ｘは、開閉体１０の表部の汚れであって、例えば、開閉体１０の表部に付着した埃や塵等である。
【００４２】
一方、前記開閉体１０の開放動作中、第一拭取部材４１は回転しないため、第一拭取部材４１と開閉体１０表部との間を通過した異物ｘは、第二拭取部材４２によって拭き取られることになる。
より詳細に説明すれば、異物ｘは、図２（ａ）に示すように、第二拭取部材４２外周面と開閉体１０表部とにより形成される下側の谷間の部分に蓄積されることになる。
【００４３】
また、開閉体１０が閉鎖動作した際には、その閉鎖動作に伴って第二拭取部材４２が転動するように回転し、その一方で、第一拭取部材４１は回転不能な状態となる。
したがって、第二拭取部材４２外周面と開閉体１０表部とにより形成される下側の谷間の部分に蓄積されていた異物ｘ（図２（ａ）参照）は、下方へ落下し、第一拭取部材４１外周面と開閉体１０との間の谷間部分に蓄積されることになる。これら異物ｘは、第一拭取部材４１が回転不能なため、第一拭取部材４１と開閉体１０との隙間から下方へ移動するようなことは少ない。
【００４４】
なお、前記のような第二拭取部材４２の回転中、第二拭取部材４２の外周面に付着して運ばれる異物ｘも若干はある。これら若干の異物ｘは、第二拭取部材４２の外周面により集積部材４４の奥側（図２における右側）へ運ばれ、掻取部材４３によって掻き取られて、集積部材４４内の底部４４ａに蓄積することになる。
【００４５】
また、第一拭取部材４１外周面と開閉体１０との間の谷間部分に蓄積された異物ｘ（図２（ｂ）参照）は、開閉体１０が再度開放動作した際に、回転する第一拭取部材４１の外周面により運ばれて、集積部材４４の奥側（図２における右側）へ移動し、掻取部材４３によって掻き取られて、集積部材４４内の底部４４ａに蓄積されることになる。
【００４６】
したがって、上記清掃装置４０によれば、開閉体１０の表部に付着した異物ｘを、第一拭取部材４１と第二拭取部材４２との間に閉じ込めるようにして集積し、更には、集積部材４４内の底部４４ａに蓄積することができる。
長期間の使用等により、集積部材４４内の異物ｘの量が比較的多くなった場合には、収納ケース３１の蓋部材３１ｃ（図１参照）を開放し、清掃装置４０を他の同一物に交換すればよい。
【００４７】
次に、本発明に係わる開閉装置用清掃装置の他例について説明する。なお、以下に示す清掃装置において、上記清掃装置４０と略同様の箇所については、上記清掃装置４０の場合と同一の符号を用いることで、重複する詳細説明を省略する。
【００４８】
図４に示す態様は、開閉体１０を、その表部側の上記清掃装置４０と、その裏部側の後述する清掃装置５０とにより挟むようにして構成してある。
清掃装置５０は、清掃装置４０と対向するようにして、開閉体１０の裏部側に配置され、開閉体１０の開閉方向へ所定間隔を置いて並ぶ第一拭取部材５１および第二拭取部材５２と、各第一拭取部材５１（又は５２）に付着した異物を掻き取る掻取部材４３，４３と、これら拭取部材４１，４２により拭き取られて落下した異物を集積する集積部材４４とを備えている。
そして、この清掃装置５０は、清掃装置４０と同様にして巻取装置３０における収納ケース３１内に着脱交換可能に支持されている。
【００４９】
第一拭取部材５１は、上述した第一拭取部材４１と略同様に、開閉体１０に対し幅方向へわたって接触するように形成されたローラ本体４１ａと、該ローラ本体４１ａの外周面に巻かれたシート材４１ｂとを具備し、開閉体１０へ向かって進退するように支持され、開閉体１０方向へ付勢されている。
より詳細に説明すれば、第一拭取部材５１をその軸方向の一端側で回動自在に支持する軸受部材５１ａと、同第一拭取部材５１を軸方向の他端側で一方向（開閉体１０の開放方向に沿う方向）へのみ回転するように支持する一方向クラッチ（図示せず）とが、それぞれ開閉体厚さ方向へスライドするように支持され、且つ、付勢部材５１ｂ（例えば、コイルスプリングや板バネ、ゴム等の弾性体）により開閉体１０方向へ付勢されている。
【００５０】
したがって、上記構成の第一拭取部材５１は、開閉体１０の開閉体本体１１を構成するスラット裏部の凹凸に沿って進退することになる。
【００５１】
また、第二拭取部材５２は、第一拭取部材５１と略同様に構成されたローラであり、第一拭取部材５１とは逆方向へのみ回転するように構成されている。
【００５２】
而して、図４に示す態様によれば、一方の清掃装置４０（又は５０）のみによって開閉体１０が押圧され、清掃装置４０（又は５０）と開閉体１０との間の押圧力が低下し、清掃効率が低下してしまうようなことを防ぐことができ、しかも、開閉体１０の表部と裏部との両部分を、開閉体１０を開閉動作させるだけで、簡単に清掃することができる。
【００５３】
なお、図４に示す態様では開閉体１０の開閉体本体１１を複数のスラットから構成したが、この開閉体本体１１を、図５に示す開閉体１０’ように、シート状物からなる開閉体本体１１’としてもよい。
図５に示す態様は、上述したシャッター装置Ａにおける開閉体１０を開閉体１０’に置換し、該開閉体１０’をその表部側と裏部側から挟むようにして二つの清掃装置４０を備えている。
【００５４】
開閉体１０’は、正面視略矩形状の開閉体本体１１’と、該開閉体本体１１’の閉鎖方向端部に接続させた座板部材１２’とから構成される。
開閉体本体１１’は、例えば、ガラスクロスやシリカクロス等の難燃性布地や、フッ素加工を施した塩化ビニル樹脂シート材、ガラス繊維を含んだ合成樹脂シート材等、耐火性（難燃性や不燃性等を含む）を有する可撓性シート材料からなり、単一のシート材であってもよいし、複数のシート材を縫い繋げて構成してもよい。
座板部材１２’は、複数の錘体を束ねたものであり、開閉体本体１１’の閉鎖方向端部に、開閉体幅方向へわたって接続されている。
【００５５】
二つの清掃装置４０，４０は、開閉体１０を挟むようにして左右対称に配置され、上記巻取装置３０の収納ケース３１内に着脱可能に止着されている。
この図５に示す態様では、開閉体１０’の開閉体本体１１がシート材からなるため、図４に示す態様のような開閉体裏部の凹凸に接触させるための構造（スライド可能な軸受部材５１ａや、付勢部材５１ｂ等）を必要としない。
【００５６】
而して、図５に示す態様によれば、一方の清掃装置４０のみによって開閉体１０が押圧され、清掃装置４０と開閉体１０との間の押圧力が低下し、清掃効率が低下してしまうようなことを防ぐことができ、しかも、開閉体１０の表部と裏部との両部分を、開閉体１０を開閉動作させるだけで、簡単に清掃することができる。
【００５７】
また、図６に示す態様は、図５に示す態様において、第一拭取部材４１及び第二拭取部材４２を、第一拭取部材４１’及び第二拭取部材４２’に置換した構成とされる。
第一拭取部材４１’は、外周面に凹凸部４１ｃ’を有するローラであり、上述した第一拭取部材４１と略同様にして、開閉体１０の開放方向に沿う回転方向のみに回転するように支持されている。
凹凸部４１ｃ’は、開閉体１０の開閉体幅方向へわたる凹部と凸部を、第一拭取部材４１’の周方向へ交互に配置するように形成したものである。
【００５８】
この第一拭取部材４１’では、上記第一拭取部材４１における外周のシート材４１ｂを設けなくてもよいが、凹凸部４１ｃ’に沿うようにしてシート材を接着した構成とすることも可能である。
【００５９】
また、第二拭取部材４２’は、第一拭取部材４１’と略同様に構成されたローラであり、第一拭取部材４１’と逆の方向へのみ回転するように構成されている。
【００６０】
而して、図６に示す態様によれば、各清掃装置４０’が、上述した清掃装置４０と略同様に作用する上、開閉体１０の面から拭き取った異物ｘを、回転する第一拭取部材４１’（又は４２’）における凹凸部４１ｃ’に係合させて、集積部材４４の奥側へ効率的に搬送することができる。
【００６１】
また、上述した各態様によれば、互いに逆方向へのみ回転する二つの拭取部材を備えるようにしたが、図７に示す清掃装置４０”のように、単一の拭取部材４２”を備えた構成とすることも可能である。
図７に示す清掃装置４０”では、上記第二拭取部材４２と同一構成の単一の拭取部材４２”を、開閉体１０の閉鎖方向に沿う方向のみに回転するように構成し、その拭取部材４２”を囲むようにして集積部材４４”を備えている。図中、掻取部材４３の構成は、上述した態様と略同様である。
【００６２】
集積部材４４”は、拭取部材４２”および掻取部材４３を、開閉体厚さ方向側から囲むとともに、その底部４４ａ”により、拭取部材４２”側から落下した異物ｘを受けるように構成される。
この集積部材４４”の底部４４ａ”の先端には、底部４４ａ”に溜まる異物ｘが毀れ落ちるのを防ぐように、開閉体幅方向へわたる立上がり片部４４ａ１”が設けられている。
【００６３】
而して、この清掃装置４０”によれば、図７（ａ）に示すように、前記開閉体１０の開放動作中、開閉体１０表部の異物ｘは、回転しない拭取部材４２”によって拭き取られ、拭取部材４２”外周面と開閉体１０表部とにより形成される下側の谷間の部分に蓄積されることになる。
そして、開閉体１０が閉鎖動作した際には、拭取部材４２”が逆方向へ回転するため、拭取部材４２”外周面と開閉体１０表部とにより形成される下側の谷間の部分に蓄積されていた異物ｘ（図７（ａ）参照）は、下方へ落下し、集積部材４４”の底部４４ａ”に蓄積されることになる。
【００６４】
なお、前記のような拭取部材４２”の回転中、拭取部材４２”の外周面に付着して運ばれる異物ｘも若干はある。これら若干の異物ｘは、拭取部材４２”の外周面により集積部材４４”の奥側（図７における右側）へ運ばれ、掻取部材４３によって掻き取られて、集積部材４４”内の底部４４ａ”に蓄積することになる。
【００６５】
また、図８に示す清掃装置６０では、上記清掃装置４０”に対し、集積部材４４”を集積部材６１に置換し、第一拭取部材としての拭取片６２を加え、上記拭取部材４２”を第二拭取部材として用いるようにしたものである。
集積部材６１は、上記集積部材４４”に対し立上がり片部４４ａ１”を省いた構成とされる。
また、拭取片６２は、ゴム等の弾性体からなり、その先端側を開閉体開放方向へ傾斜させて、開閉体１０の幅方向の略全長にわたって接触させるとともに、その基端部を集積部材６１の底部６１ａに止着している。
【００６６】
この清掃装置６０によれば、図８（ａ）に示すように、開閉体１０が開放動作すると、開閉体開放方向へ傾斜した拭取片６２が、更に開閉体開放方向へ弾性的に撓むため、拭取片６２よりも下側において開閉体１０に付着している異物ｘは、拭取片６２によって殆ど拭き取られることなく、拭取片６２と開閉体１０表部との間を通過する。
一方、前記開閉体１０の開放動作中、第二拭取部材としての拭取部材４２”は回転しないため、拭取片６２と開閉体１０表部との間を通過した異物ｘは、拭取部材４２”によって拭き取られるとともに、図８（ａ）に示すように、拭取部材４２”外周面と開閉体１０表部とにより形成される下側の谷間の部分に蓄積される。
そして、図８に示すように、開閉体１０が閉鎖動作した際には、拭取部材４２”が逆方向へ回転し、該第二拭取部材４２”と開閉体１０表部との谷間部分に蓄積されていた異物ｘが、集積部材６１の底部６１ａに落下する。
【００６７】
前記のような開閉体１０の閉鎖動作中、拭取部材４２”の外周面に付着して運ばれる異物ｘも若干はある。これら若干の異物ｘは、拭取部材４２”の外周面により集積部材６１の奥側（図８における右側）へ運ばれ、掻取部材４３によって掻き取られて、集積部材６１内の底部６１ａに蓄積することになる。
【００６８】
また、前記のような開閉体１０の閉鎖動作中、拭取片６２と拭取部材４２”との間において、開閉体１０の表部に付着している異物ｘも若干ある。これら若干の異物ｘは、拭取片６２の先端部により掻き落とされて、集積部材６１の底部６１ａに蓄積する。
この際、拭取片６２は、その先端側を開閉体開放方向へ傾斜させているため、開閉体閉鎖方向へは弾性変形し難い状態である。そのため、この拭取片６２は、開閉体１０表面の異物を下方へ殆ど通過させることなく掻き取ることになる。
【００６９】
また、図８に示す清掃装置６０の変形例としては、図９に示す清掃装置７０のように、第一拭取部材及び第二拭取部材として、対向する二つの拭取片６２，６２を備えるようにしてもよい。
二つの拭取片６２，６２の内、下側の拭取片６２は、その先端側を開閉体解放方向へ向けて傾斜させており、上側の拭取片６２は、その先端側を開閉体閉鎖方向へ向けて傾斜させている。
【００７０】
この清掃装置７０によれば、図９（ａ）に示すように、開閉体１０が開放動作すると、開閉体開放方向へ傾斜した下側の拭取片６２が、更に開閉体開放方向へ弾性的に撓むため、この拭取片６２よりも開閉体閉鎖方向側において開閉体１０に付着している異物ｘは、下側の拭取片６２によって殆ど拭き取られることなく、この下側の拭取片６２と開閉体１０表部との間を通過する。
一方、前記開閉体１０の開放動作中、開閉体閉鎖方向へ傾斜した上側の拭取片６２は、開閉体開放方向へ殆ど変形しないため、上側の拭取片６２よりも下側で開閉体１０に付着している異物ｘは、上側の拭取片６２によって掻き取られて落下し集積部材６１内の底部６１ａに溜まったり、上側の拭取片６２の先端部と開閉体１０表部との間に蓄積されたりする。
【００７１】
また、開閉体１０が閉鎖方向へ動作した際には、上側の拭取片６２の先端部と開閉体１０表部との間に蓄積した異物ｘが落下したり、開閉体１０表部の異物ｘが、下側の拭取片６２によって掻き取られたりして、集積部材６１内の底部６１ａに蓄積される。
【００７２】
よって、この清掃装置７０では、より簡素な構造によって、開閉体１０の面を清掃することができる。
【００７３】
なお、上述した実施の形態において、図５及び図６に示す態様以外の態様は、開閉体１０の開閉体本体１１を複数のスラットから構成しているが、これらの態様においても、複数のスラットからなる開閉体本体１１を、シート状物からなる開閉体本体とすることが可能である。
【００７４】
また、図７と図８に示す態様では、清掃装置４０”（又は６０）を、開閉体１０の表部側のみに設けたが、図４や図５に示す態様と同様にして、開閉体１０の表部と裏部との双方に清掃装置４０”（又は６０）を設けたり、あるいは、開閉体１０の裏部のみに、清掃装置４０”（又は６０）を設けたり等することも可能である。
【００７５】
また、上記実施の形態の開閉装置によれば、電動駆動源により開閉体を開閉動作させる構造としているが、開閉体を手動で開閉動作させる構造としてもよく、この構造においても、上記清掃装置による清掃効果を得ることができる。
【００７６】
また、上記実施の形態によれば、巻取体３２の開閉体厚さ方向の配置により、図１（ｂ）に示すように、開閉体１０の垂れ下がった部分の表部を、清掃装置４０に押し付けるようにしているが、他例としては、開閉体１０の裏部側に、開閉体１０を押圧する押圧部材を設け、この押圧部材によって開閉体１０を清掃装置４０へ押し付ける構造としてもよい。前記押圧部材は、例えば、ローラや、開閉体１０面に押圧されて摺接する部材とすればよい。
【００７７】
また、図示を省略するが、図２に示す清掃装置４０において第一拭取部材４１又は第二拭取部材４２を図８に示す拭取片６２に置換したり、同清掃装置４０において一方の第一拭取部材４１（又は第二拭取部材４２）のみを図６に示す第二拭取部材４２’に置換したり、あるいは、図８に示す拭取部材４２”を図６に示す第二拭取部材４２’に置換したり等、上述した清掃装置の構成部品は、適宜に組み合わせて用いることが可能である。
【図面の簡単な説明】
【００７８】
【図１】本発明に係わる開閉装置用清掃装置を備えた開閉装置の一例を示す縦断面図であり、（ａ）は開閉体を繰り出して全閉させた状態を示し、（ｂ）開閉体を巻き取って全開した状態を示す。
【図２】同開閉装置における清掃装置の作用を示す縦断面図であり、（ａ）は開閉体を開放動作させた際の状態を示し、（ｂ）は開閉体を閉鎖動作させた際の状態を示す。
【図３】拭取部材の一例を示す断面図である。
【図４】本発明に係わる開閉装置用清掃装置の他例を示す縦断面図であり、開閉体を開放動作させた際の状態を示す。
【図５】本発明に係わる開閉装置用清掃装置の他例を示す縦断面図であり、開閉体を開放動作させた際の状態を示す。
【図６】本発明に係わる開閉装置用清掃装置の他例を示す縦断面図であり、開閉体を開放動作させた際の状態を示す。
【図７】本発明に係わる開閉装置用清掃装置の他例を示す縦断面図であり、（ａ）は開閉体を開放動作させた際の状態を示し、（ｂ）は開閉体を閉鎖動作させた状態を示す。
【図８】本発明に係わる開閉装置用清掃装置の他例を示す縦断面図であり、（ａ）は開閉体を開放動作させた際の状態を示し、（ｂ）は開閉体を閉鎖動作させた状態を示す。
【図９】本発明に係わる開閉装置用清掃装置の他例を示す縦断面図であり、（ａ）は開閉体を開放動作させた際の状態を示し、（ｂ）は開閉体を閉鎖動作させた状態を示す。
【符号の説明】
【００７９】
１０：開閉体
４０，４０’，４０”，５０，６０，７０：清掃装置
４１，４１’，５１：第一拭取部材
４２，４２’，５２：第二拭取部材
４２”：拭取部材
４３：掻取部材
４４，４４”，６１：集積部材
６２：拭取片（拭取部材）
Ａ：シャッター装置
ｘ：異物
【図１】
2008008031.tif 000003
【図２】
2008008031.tif 000004
【図３】
2008008031.tif 000005
【図４】
2008008031.tif 000006
【図５】
2008008031.tif 000007
【図６】
2008008031.tif 000008
【図７】
2008008031.tif 000009
【図８】
2008008031.tif 000010
【図９】
2008008031.tif 000011